(57)【要約】【課題】登山靴の種類を問わずに簡単に装着可能であり、容易に損傷を生ぜず、靴にしっかりと固定され、安全に歩行でき、かつ携帯にも便利であること。【解決手段】スパイク４及び横ズレ防止ピン５を備えたフロントプレート１とヒールプレート２とをジョイント鎖３で結合し、これに登山靴Ｓへの装着用バンド手段を配する。バンド手段は、ヒールプレート２に配した踵上部抱持鎖６と、フロントプレート１に配した爪先部抱持鎖８、側部抱持鎖７及び吊上補助片１０と、吊上補助片１０で踵上部抱持鎖６、側部抱持鎖７及び爪先部抱持鎖８と係合する吊上垂下部９ａ、９ｂ、９ｃ、９ｄを形成し、吊上補助片８から延びる前後連結部９ｅ、９ｆ及び踵側締付部９ｇ、９ｈを形成する保護被覆付の弾性バンド紐９と、その途中に配した中間係止球１１ｃ、１１ｄ及び端部の端部係止球１１ａ、１１ｂ並びに紐端留め片１２とからなる。【選択図】　図１
2004121370.tif 000002
【特許請求の範囲】
【請求項１】
相互にフレキシブルなジョイント部材で結合され、かつ各々に複数のスパイクを備えたフロントプレート及びヒールプレートと、これらを登山靴に装着するためのバンド手段とを備えたアイゼンに於いて、
前記スパイクを、フロントプレート及びヒールプレートの双方の下方に突き出す複数の突起であって、各々の上部から、該フロントプレート及び該ヒールプレートの上方に立ち上がる横ズレ防止ピンを一体に備えた突起に構成し、
前記バンド手段を、
両端を各々前記ヒールプレートの左右側部から立ち上げ、中間部で、装着する登山靴の踵上部を抱えるとともに、該中間部とその両側の立ち上げ部分との各境界を被吊上部に構成した踵上部抱持鎖と、
両端を各々前記フロントプレートの左右前側部から立ち上げ、中間部で、装着する登山靴の爪先部分を抱えるとともに、該中間部とその両側の立ち上げ部分との各境界を被吊上部に構成した爪先部抱持鎖と、
各々前記フロントプレートの左右後側部から立ち上げ、各上端を被吊上部に構成した左右１対の側部抱持鎖と、
左右両側の前側部と後側部に各一対の吊上補助孔を開口し、装着する登山靴の前甲部に配置して使用される吊上補助片と、
保護被覆を備えた弾性バンド紐であって、その長さ方向中間部を前記吊上補助片の前部中央上に位置させ、その両側への延長部分の途中を各々該吊上補助片の対応する前側部の一対の吊上補助孔の前部側のそれに挿入して垂下させるとともに各々前記爪先部抱持鎖の対応する被吊上部に貫通係止させた上で各々後部側のそれに挿入して該吊上補助片上に引き出し、更にそれぞれを該吊上補助片の対応する後側部の一対の吊上補助孔の前部側のそれに挿入して垂下させるとともに各々対応する側の前記側部抱持鎖の上端の被吊上部に貫通係止させた上で各々後部側のそれに挿入して該吊上補助片上に引き出し、かつ各々を後方に延長させて前記ヒールプレートの踵上部抱持鎖の両側に位置する被吊上部にその直前に形成した抜け止め用の拡大部の後方を貫通させ、更にその延長部の各端部付近に拡大部を形成した弾性バンド紐と、
前記弾性バンド紐の端部相互を着脱自在に連結する連結手段と、
で構成した簡易アイゼン。
【請求項２】
前記連結手段を、係止孔及び切欠付係止孔を有する紐端留め片であって、該係止孔が、前記弾性バンド紐の一端側をこれに挿入して拡大部で抜け止め状態にすることができ、かつ該切欠付係止孔が、該弾性バンド紐の他端側を挿脱自在に挿入してその拡大部で係止し得るようにしたものである、紐端留め片で構成した請求項１の簡易アイゼン。
【請求項３】
前記拡大部を、前記弾性バンド紐の該当する部位に結び部を形成し、該弾性バンド紐を係止球の貫通孔に貫通させ、その結び部を該貫通孔の大径部に嵌入させ、かつ該結び部から延長する部位を小径部から抜け出るようにして構成した請求項１又は２の簡易アイゼン。
【発明の詳細な説明】
【０００１】
【発明の属する技術分野】
本発明は、雪の低山、雪渓又は滑りやすい泥道を歩行する際に登山靴に取り付けて使用するのに適当な簡易アイゼンに関するものである。
【０００２】
【従来の技術】
アイゼンは、云うまでもなく、雪山の氷雪上を安全に歩行するために登山靴に取り付けて使用するものであるが、厳しい冬山登山ばかりでなく、雪の低山、夏の雪渓、或いは滑りやすい泥道でもその滑落防止のために有効である。そしてこのような軽登山で使用する簡易アイゼンには非常に多くのそれが提供されているが、いずれも、その着脱が厄介であったり、携帯に不便であったり、或いは靴の種類によっては装着が不可であったり、若しくは歩行中に前後若しくは左右にずれたりし易い等の問題のいずれかを抱えており、満足のいくものが提供されているとは言い難かった。
【０００３】
そこで本発明者はこれらの問題点を解決すべく新たな簡易アイゼン（特許文献１）を提案した。
これは、「相互にフレキシブルなジョイント部材で結合され、それぞれに複数のスパイクを備えたフロントプレート及びヒールプレートと、これらを登山靴に装着するためのバンド手段とを備えたアイゼンに於いて、
前記スパイクを、フロントプレート及びヒールプレートの双方の下方に突き出す複数の突起であって、各々の上部から、該フロントプレート及び該ヒールプレートの上方に立ち上がる横ズレ防止ピンを一体に備えた突起に構成し、
前記バンド手段を、
前記ヒールプレートの両側から各々立ち上げた後部立ち上げ鎖に支持される後部抱持バンドであって、靴の後部を抱持状態に支持する後部抱持バンドと、
前記フロントプレートの両側からそれぞれ二本ずつ立ち上げた前部立ち上げ鎖の内、一側の二つの前部立ち上げ鎖に結合し、他側の二つの前部立ち上げ鎖に着脱自在に結合する靴の前上部抱持バンドであって、その前部立ち上げ鎖と結合した側から後方に延長結合片を延長し、同じ側で前記後部抱持バンドから延長した延長結合片に結合した前上部抱持バンドと、
両側の各二つの前部立ち上げ鎖の内、前部側の前部立ち上げ鎖の上部間に配する靴前部抱え用の前部抱え鎖と、
前記前上部抱持バンドからその前記延長結合片と対称に延長した着脱延長片であって、前記後部抱持バンドからその前記延長結合片と対称に延長した着脱延長片に着脱自在に結合する着脱延長片とで構成し、
かつ前記バンド手段を構成する後部抱持バンド、前上部抱持バンド、該後部抱持バンド及び該前上部抱持バンドの各延長結合片並びに各着脱延長片を弾性材で構成した簡易アイゼン」である。
【０００４】
このような簡易アイゼンは、先に述べたそれ以前のアイゼンと比べれば、その着脱も簡単であり、携帯にも不都合がなく、かつ靴の種類を問わず装着可能であり、更に歩行中に前後若しくは左右にずれたりするような問題もなく優れたものであるということができる。
【０００５】
しかしその後の更なる検討により、雪が部分的に消えたガレ場、或いは木の枝等が錯綜した灌木帯その他のエリアをこれを外さずに歩いた場合に、バンド手段として使用する弾性材を、その構成上、板状ゴム材を打ち抜いたような部材で構成せざるを得ない関係上、それが損傷する虞を否定し得ないことが明らかになった。またこの簡易アイゼンは、それ以前のアイゼンと比べれば、非常に装着の容易なものではあるが、その装着に際し、登山靴でそのヒールプレート及びフロントプレートを踏んだ状態で、結合用の複数のバンド部材を外側から内側に回してそれらの各先端のフックを内側の部材のリングに掛けるように操作すべきものであるため、各バンド部材の弾力により外側又は内側に引張られがちとなり内外バランス良く装着するのがやや面倒で、使い勝手の点で若干改善の余地がないわけでもないことが分かった。
【０００６】
【特許文献１】
登録実用新案第３０８９３５６号公報
【０００７】
【発明が解決しようとする課題】
本発明は、以上の従来技術の問題点を解決し、靴の種類を問わずに簡単に、かつ左右のバランス良く装着でき、更に靴の踵側上部は堅くしっかりと係止可能であるとともに、靴の前甲部は必要以上に締付けないように配慮し、加えて安全な歩行を確保するため歩行中は靴に確実に固定されるものである一方で、使用部材の内、特に弾性材について損傷の危険性を低くした、携帯にも便利な簡易アイゼンを提供することを解決の課題とするものである。
【０００８】
【課題を解決するための手段】
本発明の１は、相互にフレキシブルなジョイント部材で結合され、かつ各々に複数のスパイクを備えたフロントプレート及びヒールプレートと、これらを登山靴に装着するためのバンド手段とを備えたアイゼンに於いて、
前記スパイクを、フロントプレート及びヒールプレートの双方の下方に突き出す複数の突起であって、各々の上部から、該フロントプレート及び該ヒールプレートの上方に立ち上がる横ズレ防止ピンを一体に備えた突起に構成し、
前記バンド手段を、
両端を各々前記ヒールプレートの左右側部から立ち上げ、中間部で、装着する登山靴の踵上部を抱えるとともに、該中間部とその両側の立ち上げ部分との各境界を被吊上部に構成した踵上部抱持鎖と、
両端を各々前記フロントプレートの左右前側部から立ち上げ、中間部で、装着する登山靴の爪先部分を抱えるとともに、該中間部とその両側の立ち上げ部分との各境界を被吊上部に構成した爪先部抱持鎖と、
各々前記フロントプレートの左右後側部から立ち上げ、各上端を被吊上部に構成した左右１対の側部抱持鎖と、
左右両側の前側部と後側部に各一対の吊上補助孔を開口し、装着する登山靴の前甲部に配置して使用される吊上補助片と、
保護被覆を備えた弾性バンド紐であって、その長さ方向中間部を前記吊上補助片の前部中央上に位置させ、その両側への延長部分の途中を各々該吊上補助片の対応する前側部の一対の吊上補助孔の前部側のそれに挿入して垂下させるとともに各々前記爪先部抱持鎖の対応する被吊上部に貫通係止させた上で各々後部側のそれに挿入して該吊上補助片上に引き出し、更にそれぞれを該吊上補助片の対応する後側部の一対の吊上補助孔の前部側のそれに挿入して垂下させるとともに各々対応する側の前記側部抱持鎖の上端の被吊上部に貫通係止させた上で各々後部側のそれに挿入して該吊上補助片上に引き出し、かつ各々を後方に延長させて前記ヒールプレートの踵上部抱持鎖の両側に位置する被吊上部にその直前に形成した抜け止め用の拡大部の後方を貫通させ、更にその延長部の各端部付近に拡大部を形成した弾性バンド紐と、
前記弾性バンド紐の端部相互を着脱自在に連結する連結手段と、
で構成した簡易アイゼンである。
【０００９】
従って本発明の簡易アイゼンによれば、携帯が容易であり、かつ必要な場合の着脱が容易なものであるが、バンド手段の弾力性を必要とする構成要素として保護被覆を備えた弾性バンド紐を採用したため、装着状態も確実に保持できるものである。即ち、前記バンド手段の弾力性を必要とする構成要素として保護被覆を備えた弾性バンド紐を採用し、その保護被覆による保護を確保したため、及びそれが紐であって、外部の様々なものに接触する面積が狭いため、該弾性バンド紐が損傷を受ける可能性が低いものとなっているからである。
【００１０】
更に、該弾性バンド紐は軽量で嵩張らない一本のフレキシブルな部材なので予備品としての携帯にも都合が良く、仮に損傷した場合でも容易に交換可能であるため実質的な安全性の向上が図れる。
【００１１】
また本発明の簡易アイゼンによれば、そのヒールプレートを靴の踵部の下に、フロントプレートを爪先部の下に、それぞれ位置させ、吊上補助片を靴の甲の前部に載せ、その吊上補助片及びその各一対の吊上補助孔から垂下した弾性バンド紐の貫通係止部とその被吊上部で係止する吊下対象の前記爪先部抱持鎖等に囲まれた空隙の中に後方から靴の爪先部を挿入し、更に踵上部抱持鎖を靴の踵上部に後方から掛け、加えて弾性バンド紐の両側が左右均等に引かれて締められるため、その装着はバランス良く良好に行われうるものである。
【００１２】
続いて弾性バンド紐の紐端留め片の係止孔に貫通係止させた先端部及び係止させていない他の先端部のそれぞれを対応する側から足首前方に回し、係止させていない先端部を該紐端留め片の切欠付係止孔にその拡大部の手前で係止させようとした場合に、弾性バンド紐のそれぞれ足首前方に回した部位相互は構成上弾力的にバランスが取れるため、簡単にその係合操作を行うことができ、全体として装着がバランス良く簡単に行われ得るものとなる。これによって登山靴への装着は完了であり、極めて簡単に装着ができる。
【００１３】
なお、前記弾性バンド紐は、前記踵上部抱持鎖の両側の被吊上部では、抜け止め用の拡大部の後方を貫通させることとしたため、該弾性バンド紐の後方の延長部をいくら強く引いても該拡大部より前方の部分は該被吊上部を通過して後方に移動することがないので、該拡大部から前方の部分が締め付けられることはない。従って前記踵上部抱持鎖による登山靴の踵上部の抱持状態をしっかりと強く締め付けた状態にしようとして、該拡大部から延長後部の先端付近の拡大部までの長さを短くして足首の前方で両端を前記紐端留め片を利用して係止したとしても、登山靴の甲側がその影響を受けて強く締め付けられるようなことはない。
【００１４】
また本発明の簡易アイゼンは、前記ヒールプレート及び前記フロントプレートの下部にスパイクが突出しており、これによって氷雪上や泥道に於ける滑り止めの効果が十分発揮できるものであるのは云うまでもないが、該ヒールプレート及び該フロントプレートの上面に横ズレ防止ピンを立ち上げているので、歩行中にこれらが前後又は左右にずれるような虞がない。それ故、一層歩行の安全性が確保できる。
【００１５】
続いて弾性バンド紐の両端部をそれぞれを対応する側から足首前方に回し、前記連結手段で連結しようとした場合に、弾性バンド紐のそれぞれ足首前方に回した部位相互は構成上弾力的にバランスが取れるため、簡単にその連結操作を行うことができ、全体として装着がバランス良く簡単に行われ得るものとなる。これによって登山靴への装着は完了であり、極めて簡単に装着ができる。
【００１６】
本発明の２は、本発明の１の簡易アイゼンに於いて、前記連結手段を、係止孔及び切欠付係止孔を有する紐端留め片であって、該係止孔が、前記弾性バンド紐の一端側をこれに挿入して拡大部で抜け止め状態にすることができ、かつ該切欠付係止孔が、該弾性バンド紐の他端側を挿脱自在に挿入してその拡大部で係止し得るようにしたものである、紐端留め片で構成したものである。
【００１７】
従って本発明の２の簡易アイゼンによれば、最後に弾性バンド紐の両端を足首部の前で連結する際は、その一方の端部の紐端留め片を掴んで、他方の端部の拡大部の手前を該紐端留め片の切欠付係止孔に該切欠から挿入する操作のみで、簡単にそれができることになる。因みに、切欠付係止孔に挿入した端部はその拡大部が該係止孔の部分に係止することで確かな連結となる。
【００１８】
本発明の３は、本発明の１又は２の簡易アイゼンに於いて、前記拡大部を、前記弾性バンド紐の該当する部位に結び部を形成し、該弾性バンド紐を係止球の貫通孔に貫通させ、その結び部を該貫通孔の大径部に嵌入させ、かつ該結び部から延長する部位を小径部から抜け出るようにして構成したものである。
【００１９】
従って本発明の３の簡易アイゼンによれば、前記拡大部が前記被吊上部や紐端留め片の係止孔又は切欠付係止孔に確実に係止できるしっかりとしたものに構成できるとともに、その外観も優れたものとなる利点を得ることができる。
【００２０】
【発明の実施の形態】
本発明の実施の形態を、図面を参照しつつ実施例により詳細に説明する。
図１は装着準備状態にある一実施例の簡易アイゼンの概略斜視図、図２は弾性バンド紐に拡大部を構成するための係止球の断面図、図３は端部係止球と組合せて弾性バンド紐の両端部を連結するための紐端留め片の平面図、図４は登山靴に装着した状態の一実施例の簡易アイゼンの概略斜視図である。
【００２１】
＜実施例＞
この実施例の簡易アイゼンは、図１に示すように、フロントプレート１と、ヒールプレート２と、これらを結合するジョイント鎖（ジョイント部材）３と、上記フロントプレート１及び上記ヒールプレート２に配したスパイク４、４…及び横ズレ防止ピン５、５…と、登山靴Ｓに装着するためのバンド手段とで構成したものである。
【００２２】
前記フロントプレート１は登山靴Ｓの爪先付近から土踏まず手前付近に配して使用されるもので、金属板材、この実施例では、ステンレススチールの板材を打ち抜いて形成したものである。図１に示すように、その内部の二個所を打ち抜き開口させて軽量化を図っている。前記ヒールプレート２は、登山靴Ｓの踵部の位置に配して使用されるもので、前記フロントプレート１と同様にステンレススチールの板材を打ち抜いて形成したものである。
【００２３】
これらのフロントプレート１及びヒールプレート２は、図１に示すように、相互を互いに近接する側の中央部間で前記ジョイント鎖３により結合している。該ジョイント鎖３の長さは、登山靴Ｓのサイズに合わせて適切な長さに設定しておくものとする。この長さを調節可能としても良いが、登山靴Ｓのサイズに合わせて数種用意しておく方が適当である。
【００２４】
前記フロントプレート１及びヒールプレート２の両側部にはその下方に突出する複数のスパイク４、４…を連設する。この実施例では、図１に示すように、該フロントプレート１の両側部には各々３本のスパイク４、４、４を垂下突設し、該ヒールプレート２の両側部には各々２本のスパイク４、４を垂下突設する。上記各スパイク４、４…は、各々フロントプレート１及びヒールプレート２の該当部位に開口した固定孔に下方から下向き突起部材を挿入し、上方に突き抜けた部位の外周大径部をカシメて固定しているものである。即ち、こうして下方に突出した突起がスパイク４、４…を構成するものである。またこのスパイク４、４…は、上方に突き抜けた部位の外周拡大部をカシメて固定するものであり、該外周拡大部の中心には小さな突起が形成してあり、これが横ズレ防止ピン５、５…となる。
【００２５】
前記バンド手段は、図１に示すように、基本的に、前記ヒールプレート２に位置して装着する登山靴Ｓの踵上部を抱える踵上部抱持鎖６と、前記フロントプレート１の前部に位置して装着する登山靴Ｓの爪先部分を抱える爪先部抱持鎖８と、各々前記フロントプレート１の左右後側部から立ち上げた左右１対の側部抱持鎖７、７と、左右両側の前側部と後側部に各一対の吊上補助孔を開口し、装着する登山靴Ｓの甲部に配置して使用される吊上補助片１０と、フロントプレート１から立ち上がった爪先部抱持鎖８及び側部抱持鎖７、７を装着する登山靴Ｓの足先側を抱持させるべく吊上支持し、ヒールプレート２から立ち上がった踵上部抱持鎖６を吊り上げつつ該登山靴Ｓの踵上部に抱持させ、かつ該登山靴Ｓの足首に回して固定する、保護被覆を備えた弾性バンド紐９と、該弾性バンド紐９の両端を結合固定するための紐端留め片１２とで構成したものである。
【００２６】
前記踵上部抱持鎖６は、図１に示すように、両端を各々前記ヒールプレート２の左右側部から立ち上げる立ち上げ鎖部６ａ、６ｂと、これらに連続する中間部であり、装着する登山靴Ｓの踵上部を抱える踵抱持鎖部６ｅと、該踵抱持鎖部６ｅとその両側に連続する立ち上げ鎖部６ａ、６ｂとの各境界に配した被吊上環（被吊上部）６ｃ、６ｄとで構成する。
【００２７】
前記爪先部抱持鎖８は、図１及び図４に示すように、両端を各々前記フロントプレート１の左右前側部から立ち上げる立ち上げ鎖部８ａ、８ｂと、これらに連続する中間部であり、装着する登山靴Ｓの爪先部分を抱える爪先抱持鎖部８ｅと、該爪先抱持鎖部８ｅとその両側に連続する立ち上げ鎖部８ａ、８ｂとの各境界に配した被吊上環（被吊上部）８ｃ、８ｄとで構成する。
【００２８】
前記側部抱持鎖７、７は、図１に示すように、各々前記フロントプレート１の左右後側部から立ち上げた立ち上げ鎖部７ｃ、７ｃと、それらの各上端に配した被吊上環（被吊上部）７ａ、７ｂ（被吊上環７ｂは図面中に表れていない）とで構成する。
【００２９】
前記吊上補助片１０は、図１及び図４に示すように、合成樹脂製の板材での構成したものであり、左右両側の前側部と後側部に各々前後方向に並べた一対の吊上補助孔１０ａ、１０ｂ、１０ｃ、１０ｄ、１０ｅ、１０ｆ、１０ｇ、１０ｈを開口したものである。これらの吊上補助孔１０ａ、１０ｂ、１０ｃ、１０ｄ、１０ｅ、１０ｆ、１０ｇ、１０ｈは、後述するように、前記弾性バンド紐９が挿通されることになる。
【００３０】
前記弾性バンド紐９は、その弾性材として、この実施例では多数の糸状の合成ゴム材を断面が円柱状になるように束ね合わせ、その外周を伸縮性に富む布で覆って構成したものであり、容易に入手できるものである。
【００３１】
前記弾性バンド紐９は、図１及び図４に示すように、その長さ方向の中間部分を前記吊上補助片１０に係合し、該吊上補助片１０から後方に延長して延びる部分の両末端直前には端部係止球１１ａ、１１ｂを固設し、各々の途中には中間係止球１１ｃ、１１ｄを固設する。一方の端部係止球１１ａの直前の紐部分には、予めこれを係止孔１２ａに貫通させることで紐端留め片１２が取り付けてある。なお前記弾性バンド紐９の該吊上補助片１０から後方に延びる二つの延長部分の内、該吊上補助片１０から途中の中間係止球１１ｃ、１１ｄまでの間を前後連結部９ｅ、９ｆと称し、該中間係止球１１ｃ、１１ｄから末端までの間を踵側締付部９ｇ、９ｈと称する。
【００３２】
前記弾性バンド紐９は、図１及び図４に示すように、その長さ方向の中間部分を中心として、その両側の部分を前記吊上補助片１０の最前部の両側の吊上補助孔１０ａ、１０ｅにそれぞれ上方から挿入し、その一方の吊上補助孔１０ａに挿入した側は、下方からこれと対になる後方の吊上補助孔１０ｂに挿入することで、その部位に吊上垂下部９ａを生じさせ、上方に出た部分は更にその後方の吊上補助孔１０ｃに挿入し、下方に出た部分を今度はこれと対になる吊上補助孔１０ｄに挿入することで、その部位に吊上垂下部９ｃを生じさせ、該吊上補助孔１０ｄから上方に出た部分は後方に延長する。
【００３３】
また前記両側の吊上補助孔１０ａ、１０ｅの内、他方の吊上補助孔１０ｅに挿入した側も同様に、図１及び図４に示すように、下方からこれと対になる後方の吊上補助孔１０ｆに挿入することで、その部位に吊上垂下部９ｂを生じさせ、上方に出た部分は更にその後方の吊上補助孔１０ｇに挿入し、下方に出た部分を今度はこれと対になる吊上補助孔１０ｈに挿入することで、その部位に吊上垂下部９ｄを生じさせ、該吊上補助孔１０ｈから上方に出た部分は後方に延長する。
【００３４】
図１及び図４に示すように、前記吊上垂下部９ａ、９ｃ、９ｂ、９ｄの内、吊上垂下部９ａ、９ｂは、これを以上のようにセットする際に、予め、前記フロントプレート１の前両側部から立ち上がった爪先部抱持鎖８の両側の被吊上環８ｃ、８ｄに貫通係止させ、また吊上垂下部９ｃ、９ｄは、これを以上のようにセットする際に、予め、該フロントプレート１の後両側部からそれぞれ立ち上げた側部抱持鎖７、７の各々の上端の被吊上環７ａ、７ｂに貫通係止させる。
【００３５】
前記弾性バンド紐９は、前記し、かつ図１及び図４に示すように、その両方の末端直前には端部係止球１１ａ、１１ｂが固設してあり、途中には中間係止球１１ｃ、１１ｄが固設してあるが、これらは、前記吊上補助片１０の各吊上補助孔１０ａ〜１０ｈへの挿入及び前記各吊上環７ａ、７ｂ、８ｃ、８ｄへの貫通係止の後に固設すべきものであることは云うまでもない。
【００３６】
もっとも前記弾性バンド紐９は、該吊上補助片１０から後方に延びる前後連結部９ｅ、９ｆと踵側締付部９ｇ、９ｈとの境界に位置する中間係止球１１ｃ、１１ｄについては、これを固設した後に、それより末端側を前記ヒールプレート２の両側から立ち上げた踵上部抱持鎖６の両側の被吊上環６ｃ、６ｄを貫通させ、該中間係止球１１ｃ、１１ｄが各々に係止するようにする。これらの取付が済んだ後、前記端部係止球１１ａの直前の紐端留め片１２を取り付け、その後に前記端部係止球１１ａ、１１ｂを取り付けるべきことになる。
【００３７】
前記中間係止球１１ｃ、１１ｄ及び前記端部係止球１１ａ、１１ｂは、図２に、二点鎖線で表示する弾性バンド紐９と併せて、その断面を示すように、中央を貫通する貫通孔が大径部と小径部とからなり、その径がその両端側で異なり（図２中では大径部側の径Φ１＞小径部側の径Φ２）、弾性バンド紐９の該当する部位に結び部９ｉを形成しておき、これを大径部側に挿入して該中間係止球１１ｃ、１１ｄ及び該端部係止球１１ａ、１１ｂが結び部９ｉを形成した側に移動できないようにしたものである。即ち、中間係止球１１ｃ、１１ｄは各々前後連結部９ｅ、９ｆ側に結び部９ｉを形成してその方向に移動不可能であるように取り付け、端部係止球１１ａ、１１ｂは踵側締付部９ｇ、９ｈの末端側に結び部９ｉを形成してその方向に移動不可能であるように取り付けたものである。
【００３８】
前記紐端留め片１２は、図３に示すように、平面から見て長方形の合成樹脂製板材に係止孔１２ａ及び切欠付係止孔１２ｂを形成してなるものである。
【００３９】
従ってこの実施例の簡易アイゼンによれば、その登山靴Ｓへの装着が簡単にでき、かつ装着して氷雪上や泥道を歩く際に滑り止めとして有効に機能すると共に、これが歩行中に前後又は左右にずれることもなく、しかも装着用の弾性バンド手段を損傷する危険もないので、滑落等を防止しながらより安全な歩行を確保することができる。更にはその取り外しも簡単であり、携帯及び保管にも便利である。
【００４０】
まずこの実施例の簡易アイゼンの登山靴Ｓへの装着は次のように行う。
装着に先立って、フロントプレート１とヒールプレート２とを結合するジョイント鎖３の長さを調節しておく。これは、必要以上に長い部分をカットすることにより行うことができる。また装着する登山靴Ｓの甲側を無用に強くない適切な締付力で保持できるように前後連結部９ｅ、９ｆの長さを調節しておく。これは該前後連結部９ｅ、９ｆと踵側締付部９ｇ、９ｈとの境界を移動させることで行う。この境界の移動は、結び部をどちらかに移動した部分に形成して中間係止球１１ｃ、１１ｄをどちらかに移動した部位に係止させることにより行う。
【００４１】
更に登山靴Ｓの踵上部を踵上部抱持鎖６の踵抱持鎖部６ｅによって十分な締付力をもって締め付けうる長さに踵側締付部９ｇ、９ｈを調節しておく。これは踵側締付部９ｇ、９ｈの端部側に於ける端部係止球１１ａ、１１ｂの取り付け位置を調節することにより行う。これはまた端部側の結び部の形成位置を調整することによって行うことができる。なお踵側締付部９ｇ、９ｈの端部係止球１１ａ、１１ｂより端部側に無用に延びる部分は必要に応じてカットする。
【００４２】
このように調節した後、図１に示すように、フロントプレート１及びヒールプレート２を、前者を前に後者を後に位置させながら、その横ズレ防止ピン５、５…の立ち上がった面を上向きにして配し、この上に、図４に示すように、登山靴Ｓを載せる。図中にはこれを履いている登山者の足は描かれていないが、これは作図の都合上であって、実際には登山靴Ｓは登山者が履いた状態でこの簡易アイゼンの装着を行う。
【００４３】
上記状態のフロントプレート１の上には、登山靴Ｓの爪先付近から土踏まずの手前付近までを載せ、ヒールプレート２には踵部付近を載せる。図４に示すように、この状態で、踵上部抱持鎖６を登山靴Ｓの踵部上部側に回し、立ち上げ鎖部６ａ、６ｂの上端と踵抱持鎖部６ｅとの境界の被吊上環６ｃ、６ｄに貫通してある弾性バンド紐９の前後連結部９ｅ、９ｆを該登山靴Ｓの前方の吊上補助片１０との間に延長状態としておく。
【００４４】
他方、図４に示すように、前記吊上補助片１０を持ち上げて、該吊上補助片１０から垂下する弾性バンド紐９の吊上垂下部９ａ、９ｂ、９ｃ、９ｄ及びこれらに被吊上環７ａ、７ｂ、８ｃ、８ｄを介して吊り上げられている爪先部抱持鎖８の立ち上げ鎖部８ａ、８ｂ、爪先抱持鎖部８ｅ並びに側部抱持鎖７、７で囲まれる部分に該登山靴Ｓの前甲部が装入状態となるようにする。
【００４５】
こうした上で、前記弾性バンド紐の前後連結部９ｅ、９ｆを該登山靴Ｓの後方に引っ張って、該前後連結部９ｅ、９ｆと前記踵側締付部９ｇ、９ｈとの境界に位置する中間係止球１１ｃ、１１ｄを立ち上げ鎖部６ａ、６ｂの上端と踵抱持鎖部６ｅとの境界の被吊上環６ｃ、６ｄに係止させ、該被吊上環６ｃ、６ｄから端部側の踵側締付部９ｇ、９ｈを足首部前方に引っ張り、踵上部抱持鎖６の踵抱持鎖部６ｅを登山靴Ｓの踵部上部側にしかりと締付固定するとともに、その一方の前端に配してある紐端留め片１２の切欠付係止孔１２ｂに他方の端部の端部係止球１１ｂの手前を挿入係止する。これで登山靴Ｓへのこの実施例の簡易アイゼンの装着は完了である。
【００４６】
なお、以上の説明では、ヒールプレート２の踵上部抱持鎖６側の装着から順に説明したが、実際の手順としては、フロントプレート１の爪先部抱持鎖８側から装着する。
【００４７】
以上の説明は、図４に示すように、左側の登山靴Ｓへの装着に関してのみ行ったが、前述のように、この簡易アイゼンは左右対称であり、右側の登山靴Ｓへの装着操作も左側のそれと左右対称に行えば良く、左側のそれと同様にして、右側用の簡易アイゼンを簡単に装着できる。
【００４８】
このようにこの実施例の簡易アイゼンによれば、図４に示すように、フロントプレート１及びヒールプレート２を、登山靴Ｓの足首後部側では踵上部抱持鎖６で支持し、爪先側では爪先部抱持鎖８で巻いて支持し、側部では側部抱持鎖７、７で支持し、かつこれらの爪先部抱持鎖８及び側部抱持鎖７、７は登山靴Ｓの前甲部に配置された吊上補助片１０の吊上補助孔１０ａ、１０ｂ、１０ｃ、１０ｄ、１０ｅ、１０ｆ、１０ｇ、１０ｈから垂下された弾性バンド紐９の吊上垂下部９ａ、９ｂ、９ｃ、９ｄで吊上げ、また該吊上補助片１０は踵上部抱持鎖６とも弾性バンド紐９の前後連結部９ｅ、９ｆで互いに支持し合い、更に踵上部抱持鎖６は弾性バンド紐９の踵側締付部９ｇ、９ｈで、前甲部を必要以上に締付けることなく、しっかりと吊上げ締め付けることにより、登山靴Ｓに装着するものであり、登山靴Ｓの種類を問わず安全確実に、しかも簡単かつスピーディに装着できるものである。
【００４９】
またこの実施例の簡易アイゼンは、前記ヒールプレート２及び前記フロントプレート１の下部にスパイク４、４…を突出させてあり、これによって氷雪上や泥道に於ける滑り止めの効果が十分発揮できるのは云うまでもなく、該ヒールプレート２及び該フロントプレート１の上面に横ズレ防止ピン５、５…が立ち上がっているため、踵上部抱持鎖６、側部抱持鎖７、７及び爪先部抱持鎖８の作用と相俟って、歩行中に該ヒールプレート２及び該フロントプレート１が前後又は左右にズレるような虞がない。それ故、一層歩行の安全性が確保できるものである。
【００５０】
更に前記弾性バンド紐９が保護被覆を備えたものであるため、ガレ場の岩に当たったりするようなことがあっても容易に破断等の損傷を生じることがなく、より安全に使用できるものである。
【００５１】
【発明の効果】
本発明の１の簡易アイゼンによれば、各部を所望の強さで締付けることができ靴の種類を問わずに装着可能であり、装着に際し左右のバランスも取り易く着脱が簡単で、歩行中に靴にしっかりと固定され、安全に歩行できると共に、装着のためのバンド手段を損傷する危険性も低く、携帯にも便利である。
【００５２】
本発明の２の簡易アイゼンによれば、最後に弾性バンド紐の両端を足首部の前で連結する際は、その一方の端部の紐端留め片を掴んで、他方の端部の拡大部の手前を該紐端留め片の切欠付係止孔に該切欠から挿入する操作のみで、簡単にそれができることになる。因みに、切欠付係止孔に挿入した端部はその拡大部が該係止孔の部分に係止することで確かな連結となる。
【００５３】
本発明の３の簡易アイゼンによれば、前記拡大部が前記被吊上部や紐端留め片の係止孔又は切欠付係止孔に確実に係止できるしっかりとしたものに構成できるとともに、その外観も優れたものとなる利点を得ることができる。
【図面の簡単な説明】
【図１】装着準備状態にある一実施例の簡易アイゼンの概略斜視図。
【図２】弾性バンド紐に拡大部を構成するための係止球の断面図。
【図３】端部係止球と組合せて弾性バンド紐の両端部を連結するための紐端留め片の平面図。
【図４】登山靴に装着した状態の一実施例の簡易アイゼンの概略斜視図。
【符号の説明】
１　　フロントプレート
２　　ヒールプレート
３　　ジョイント鎖
４　　スパイク
５　　横ズレ防止ピン
Ｓ　　登山靴
６　　踵上部抱持鎖
６ａ、６ｂ　立ち上げ鎖部
６ｃ、６ｄ　被吊上環（被吊上部）
６ｅ　踵抱持鎖部
７　　側部抱持鎖
７ａ、７ｂ　被吊上環（被吊上部）
７ｃ、７ｃ　立ち上げ鎖部
８　　爪先部抱持鎖
８ａ、８ｂ　立ち上げ鎖部
８ｃ、８ｄ　被吊上環（被吊上部）
８ｅ　爪先抱持鎖部
９　　弾性バンド紐
９ａ、９ｂ、９ｃ、９ｄ　吊上垂下部
９ｅ、９ｆ　前後連結部
９ｇ、９ｈ　踵側締付部
９ｉ　結び部
１０　吊上補助片
１０ａ、１０ｂ、１０ｃ、１０ｄ、１０ｅ、１０ｆ、１０ｇ、１０ｈ　吊上補助孔
１１ａ、１１ｂ　端部係止球
１１ｃ、１１ｄ　中間係止球
１２　紐端留め片
１２ａ　係止孔
１２ｂ　切欠付係止孔
Φ１　大径部側の径
Φ２　小径部側の径
【図１】
2004121370.tif 000003
【図２】
2004121370.tif 000004
【図３】
2004121370.tif 000005
【図４】
2004121370.tif 000006